【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
流体ライン内の殺菌した医療用流体の温度を測定する温度感知装置であって、
該流体ラインに固定可能である継手であって、
第１の開口端および第２の開口端であって、各端は該流体ラインの選択された部分に固定可能である、第１の開口端および第２の開口端と、
該流体ライン内を流れる該殺菌した医療用流体が該継手を通って流れることを可能にするための、該継手内に配置される通路と、
該医療用流体の温度を測定する温度センサを受容するための、該通路と流体連通している接続ポートと
を含む、継手を備え、
該継手は、流路中の該医療用流体を該温度センサの周囲に誘導するためのループ構成、該医療用流体を患者の中に誘導するための針ハブアセンブリ、および該継手を通る該医療用流体の流れを選択的に制御するための流れ制御装置のうちの少なくとも１つをさらに含む、温度感知装置。
【請求項２】
熱伝導性レセプタクルであって、前記接続ポート内に固定され、かつ、部分的に前記通路内に延在して、該レセプタクルの遠位端が該通路内を流れる前記医療用流体と接触することを可能にする、熱伝導性レセプタクルをさらに含み、
前記温度センサは、前記継手を通って流れる該医療用流体の温度を測定するために、該レセプタクル内に解除可能に受容される、請求項１に記述の温度感知装置。
【請求項３】
前記接続ポートは、前記継手の外側表面から延在し、前記温度感知装置は、
前記温度センサを該接続ポートに固定する固定部材をさらに含み、該固定部材は、その中に画定される凹部を含み、該温度センサは、該凹部内に配置され、該固定部材が該接続ポートに固定されると、前記レセプタクルに接触するように延在する、請求項２に記述の温度感知装置。
【請求項４】
前記固定部材および前記接続ポートは、該固定部材を該接続ポートに解除可能に固定し、かつ、前記温度センサと前記レセプタクルとの間の接触を容易にするための係止機構を含む、請求項３に記述の温度感知装置。
【請求項５】
前記係止機構は、
前記接続ポートの外側表面に解除可能に取付けられる、少なくとも１つの突出部と、
対応する突出部と係合するように前記固定部材上に配置される、少なくとも１つの係合部材と
を含み、
該少なくとも１つの係合部材は、該固定部材の前記係合ポートからの解放に応じて、該対応する突出部を該接続ポートから除去し、それにより、該接続ポートの該固定部材との再係合および前記継手の再使用を防止するように構成される、請求項４に記述の温度感知装置。
【請求項６】
前記継手は、前記流れ制御装置を含む、請求項１に記述の温度感知装置。
【請求項７】
前記流れ制御装置は、該流れ制御装置を、前記継手を通る前記医療用流体の流動を可能にする状態に維持するための係止機構を含む、請求項６に記述の温度感知装置。
【請求項８】
前記流れ制御装置は、その中に摺動可能に配置される筐体およびピストンを含み、該ピストンは、開口部を含み、かつ、該開口部を前記通路と整列させて、前記継手内の前記医療用流体の流れを制御するように選択的に直線的に操作される、請求項７に記述の温度感知装置。
【請求項９】
前記係止機構は、前記ピストンの遠位部分に配置される突出部と、該ピストンが前記筐体内で遠位に押し進められることに応じて該突出部と係合するための、該筐体の遠位部分内に画定される凹部とを含む、請求項８に記述の温度感知装置。
【請求項１０】
前記流れ制御装置は、その中に回転可能に配置される筐体および弁部材を含み、該弁部材は、開口部を含み、かつ、該開口部を前記通路と整列するように選択的に回転させられることにより、前記継手内の前記医療用流体の流れを制御する、請求項７に記述の温度感知装置。
【請求項１１】
前記流れ制御装置は、前記弁部材を回転させるための回転可能な把持部材を含み、前記係止機構は、
該把持部材の遠位表面内に画定される複数の溝であって、各溝は、第１および第２の端と、これらの端の間に配置される段部とを含む、溝と、
前記筐体の近位部分から延在する複数の突出部と
を含み、
該突出部は、対応する溝の中に受容され、該把持部材の回転に応じてこれらの溝を横断することにより、該突出部が対応する溝の段部と溝の端との間の該溝の中に維持されることを可能にして、該把持部材のさらなる回転を防止する、請求項１０に記述の温度感知装置。
【請求項１２】
前記流れ制御装置は、前記測定された流体温度に基づいて制御装置によって制御される、請求項６に記述の温度感知装置。
【請求項１３】
前記継手は、前記医療用流体を前記温度センサの周囲に誘導するための少なくとも１つの巻きを有する、前記ループ構成を含む、請求項１に記述の温度感知装置。
【請求項１４】
前記継手は、前記針ハブアセンブリを含む、請求項１に記述の温度感知装置。
【請求項１５】
前記継手および針ハブアセンブリは、一体型ユニットとして形成される、請求項１４に記述の温度感知装置。
【請求項１６】
前記継手は、弁の形態である、請求項１４に記述の温度感知装置。
【請求項１７】
前記測定された流体温度を表示するための表示部をさらに含む、請求項１に記述の温度感知装置。
【請求項１８】
継手と、該継手を通って流れる流体の温度を測定するための温度センサとを含む温度感知装置を介して、医療用流体ライン内を流れる殺菌した医療用流体の温度を測定する方法であって、該継手は、第１および第２の開口端と、該継手内に配置され、該第１および第２の開口端の間に延在して、該流体ライン内を流れる流体が該継手を通って流れることを可能にする通路と、該通路と流体連通している接続ポートとを含み、該継手は、ループ構成、針ハブアセンブリ、および流れ制御装置のうちの少なくとも１つをさらに含み、該方法は、
（ａ）該継手の該第１および第２の端を該流体ラインの選択された部分に固定することと、
（ｂ）該接続ポート内に配置される該温度センサを介して、該継手を通って流れる流体の温度を測定し、該測定された流体温度を示す温度信号を生成することと、
（ｃ）該ループ構成を含む該継手に従って、該流体温度を測定するために、該ループ構成を通り、かつ該温度センサの周りの流路の中を該医療用流体を誘導することと、
（ｄ）該流れ制御装置を含む該継手に従って、該流れ制御装置を介して、該継手を通る該医療用流体の流れを選択的に制御することと、
（ｅ）該針ハブアセンブリを含む該継手に従って、該針ハブアセンブリを介して、該医療用流体を該通路から患者の中に誘導することと
を含む、方法。
【請求項１９】
前記継手は、前記接続ポート内に配置され、かつ、前記通路内を流れる流体と直接接触するレセプタクルをさらに含み、ステップ（ｂ）は、
（ｂ．１）該レセプタクルに接触するように、前記温度センサを該接続ポート内に挿入することと、
（ｂ．２）該継手内を流れる流体の温度を間接的に決定するために、該レセプタクルの温度を測定することと
をさらに含む、請求項１８に記述の方法。
【請求項２０】
前記接続ポートは、前記継手の外側表面から延在し、前記温度感知装置は、前記温度センサを該接続ポートに固定するための固定部材をさらに含み、該固定部材はその中に画定される凹部を含み、該温度センサは該凹部内に配置され、ステップ（ｂ．１）は、
（ｂ．１．１）該固定部材を介して、該温度センサを該接続ポートに固定することであって、該温度センサは前記レセプタクルと接触して配置される、ことをさらに含む、請求項１９に記述の方法。
【請求項２１】
前記固定部材および前記接続ポートは、該固定部材を該接続ポートに解除可能に固定するための係止機構を含み、ステップ（ｂ．１．１）は、
（ｂ．１．１．１）該接続ポートを前記凹部内に配置して、前記温度センサが前記レセプタクルと接触することを可能にすることにより、該固定部材を該接続ポートに係止することをさらに含む、請求項２０に記述の方法。
【請求項２２】
前記継手は、前記流れ制御装置を含む、請求項１８に記述の方法。
【請求項２３】
前記流れ制御装置は、その中に摺動可能に配置される筐体およびピストンを含み、該ピストンは開口部を含み、ステップ（ｄ）は、
（ｄ．１）該開口部を前記通路と整列させるように選択的に該ピストンを直線的に操作することにより、前記継手内の前記医療用流体の流れを制御することをさらに含む、請求項２２に記述の方法。
【請求項２４】
前記流れ制御装置は係止機構を含み、ステップ（ｄ）は、
（ｄ．２）該流れ制御装置を、前記継手を通る前記医療用流体の流動を可能にする状態に維持することをさらに含む、請求項２３に記述の方法。
【請求項２５】
前記係止機構は、前記ピストンの遠位部分に配置される突出部と、前記筐体の遠位部分内に画定される凹部とを含み、ステップ（ｄ．２）は、
（ｄ．２．１）該ピストンが該筐体内で遠位に押し進められることに応じて、該突出部を該凹部と係合することをさらに含む、請求項２４に記述の方法。
【請求項２６】
前記流れ制御装置は、その中に回転可能に配置される筐体および弁部材を含み、該弁部材は開口部を含み、ステップ（ｄ）は、
（ｄ．１）前記継手内の前記医療用流体の流れを制御するために、該開口部を前記通路と整列させるように該弁部材を選択的に回転させることをさらに含む、請求項２２に記述の方法。
【請求項２７】
前記流れ制御装置は係止機構を含み、ステップ（ｄ）は、
（ｄ．２）該流れ制御装置を、前記継手を通る前記医療用流体の流動を可能にする状態に維持することをさらに含む、請求項２６に記述の方法。
【請求項２８】
前記流れ制御装置は、前記弁部材を回転させるための回転可能な把持部材を含み、前記係止機構は、該把持部材の遠位表面内に画定される複数の溝を含み、各溝は、第１および第２の端と、これらの端の間に配置される段部と、前記筐体の近位部分から延在する複数の突出部とを含み、ステップ（ｄ．２）は、
（ｄ．２．１）対応する溝の中に該突出部を受容し、該把持部材の回転に応じてこれらの溝を該突出部と交差させ、該溝の中の対応する溝の段部と溝の端との間に該突出部を維持して該把持部材のさらなる回転を防止することをさらに含む、請求項２７に記述の方法。
【請求項２９】
ステップ（ｄ）は、
（ｄ．１）前記測定された流体温度に基づいて前記流れ制御装置を制御することをさらに含む、請求項２２に記述の方法。
【請求項３０】
前記継手は、前記ループ構成を含む、請求項１８に記述の方法。
【請求項３１】
前記継手は、前記針ハブアセンブリを含む、請求項１８に記述の方法。
【請求項３２】
前記継手および針ハブアセンブリは、一体型ユニットとして形成される、請求項３１に記述の方法。
【請求項３３】
前記継手は、弁の形態である、請求項３１に記述の方法。
【請求項３４】
ステップ（ｂ）は、
（ｂ．１）前記測定された流体温度を表示することをさらに含む、請求項１８に記述の方法。
【請求項３５】
殺菌した医療用流体の温度を測定する温度感知装置であって、
殺菌した医療用流体を収容するための医療用流体容器と、
そこから該殺菌した医療用流体を受容して該医療用流体を患者に向かって導くために、該医療用流体容器に連結される、流体ラインと、
該医療用流体容器および該流体ラインのうちの少なくとも１つに固定可能であり、該殺菌した医療用流体を熱処理するように動作可能である、少なくとも１つの熱処理装置と、
該流体ラインに沿って選択された場所に配置される継手であって、
第１の開口端および第２の開口端であって、各端が、該流体ラインの選択された部分に固定可能である、第１の開口端および第２の開口端と、
該流体ライン内を流れる該殺菌した医療用流体が該継手を通って流れることを可能にするように、該継手内に配置される、通路と、
該通路と流体連通している接続ポートと、
を含む、継手と、
該継手を通って流れる該殺菌した医療用流体の温度を測定し、該測定された流体温度を示す電気的温度信号を生成するように、接続ポート内に設置するための温度センサと、
該少なくとも１つの熱処理装置を制御して、該測定された流体温度に基づいて該医療用流体を所望の温度に熱処理するように、該温度センサおよび該少なくとも１つの熱処理装置に連結される、制御装置と
を含む、温度感知装置。
【請求項３６】
前記所望の温度は、ユーザにより入力される、請求項３５に記述の温度感知装置。
【請求項３７】
前記熱処理装置は、加熱および冷却のうちの少なくとも１つの形態で、前記医療用流体を熱処理する、請求項３５に記述の温度感知装置。
【請求項３８】
前記制御装置は、前記測定された流体温度を表示する、請求項３５に記述の温度感知装置。
【請求項３９】
熱伝導性レセプタクルであって、前記接続ポート内に固定され、部分的に前記通路内に延在することにより、該レセプタクルの遠位端が該通路内を流れる前記医療用流体と接触することを可能にする、熱伝導性レセプタクルをさらに含み、
前記温度センサは、前記継手を通って流れる該医療用流体の温度を測定するように、該レセプタクル内に解除可能に受容される、請求項３５に記述の温度感知装置。
【請求項４０】
前記接続ポートは、前記継手の外側表面から延在し、前記温度感知装置は、
前記温度センサを該接続ポートに固定するための固定部材をさらに含み、該固定部材はその中に画定される凹部を含み、該温度センサは、該凹部内に配置され、かつ、該固定部材が該接続ポートに固定されると前記レセプタクルに接触するように延在する、請求項３９に記述の温度感知装置。
【請求項４１】
前記固定部材および前記接続ポートは、該固定部材を該接続ポートに解除可能に固定し、前記温度センサと前記レセプタクルとの間の接触を容易にするための係止機構を含む、請求項４０に記述の温度感知装置。
【請求項４２】
前記継手は、該継手を通る前記医療用流体のフローを選択的に制御するための流れ制御装置をさらに含む、請求項３５に記述の温度感知装置。
【請求項４３】
前記流れ制御装置は、該流れ制御装置を、前記継手を通る前記医療用流体の流動を可能にする状態に維持するための係止機構を含む、請求項４２に記述の温度感知装置。
【請求項４４】
前記流れ制御装置は、その中に摺動可能に配置される筐体およびピストンを含み、該ピストンは、開口部を含み、かつ、該開口部を前記通路と整列させるように選択的に直線的に操作することにより、前記継手内の前記医療用流体の流れを制御する、請求項４２に記述の温度感知装置。
【請求項４５】
前記流れ制御装置は、その中に回転可能に配置される筐体および弁部材を含み、該弁部材は、開口部を含み、かつ、該開口部を前記通路と整列させるように選択的に回転させられることにより、前記継手内の前記医療用流体の流れを制御する、請求項４２に記述の温度感知装置。
【請求項４６】
前記制御装置は、前記流れ制御装置に連結され、かつ、該流れ制御装置を操作することにより、前記測定された流体温度に基づいて前記医療用流体の流れを制御する、請求項４２に記述の温度感知装置。
【請求項４７】
前記継手は、前記医療用流体を前記温度センサの周囲の流路に誘導するためのループ構成を含む、請求項３５に記述の温度感知装置。
【請求項４８】
前記医療用流体を患者の中に誘導するために、前記継手に連結される針ハブアセンブリをさらに含む、請求項３５に記述の温度感知装置。
【請求項４９】
前記制御装置は、前記測定された流体温度を記録してレポートを生成する、請求項３５に記述の温度感知装置。
【請求項５０】
前記測定された流体温度および前記レポートのうちの少なくとも１つを印刷するために、プリンタをさらに含む、請求項４９に記述の温度感知装置。
【請求項５１】
前記制御装置は、前記レポートを別の装置に伝達するために、通信モジュールを含む、請求項４９に記述の温度感知装置。
【請求項５２】
継手と該継手を通って流れる流体の温度を測定するための温度センサとを含む温度感知装置を介して、医療用流体ライン内を流れる殺菌した医療用流体の温度を測定する方法であって、該継手は、第１および第２の開口端と、該継手内に配置され、かつ、該第１および第２の開口端の間に延在して該流体ライン内を流れる流体が該継手を通って流れることを可能にする通路と、該通路と流体連通している接続ポートとを含み、該方法は、
（ａ）該継手の該第１および第２の端を該流体ラインの選択された部分に固定することと、
（ｂ）該接続ポート内に配置される該温度センサを介して、該継手を通って流れる流体の温度を測定し、該測定された流体温度を示す温度信号を生成することと、
（ｃ）該測定された流体温度に基づいて該医療用流体を所望の温度に熱処理するために、該流体ラインおよび流体源のうちの少なくとも１つに近接して配置される少なくとも１つの熱処理装置を、制御装置を介して制御することと
を含む、方法。
【請求項５３】
ステップ（ｃ）は、
（ｃ．１）ユーザによる前記制御装置への前記所望の温度の入力を容易にすることをさらに含む、請求項５２に記述の方法。
【請求項５４】
各熱処理装置は、加熱および冷却のうちの少なくとも１つの形態で、前記医療用流体を熱処理する、請求項５２に記述の方法。
【請求項５５】
ステップ（ｂ）は、
（ｂ．１）前記測定された流体温度を表示することをさらに含む、請求項５２に記述の方法。
【請求項５６】
前記継手は、前記接続ポート内に配置され、前記通路内を流れる流体と直接接触するレセプタクルをさらに含み、ステップ（ｂ）は、
（ｂ．１）該レセプタクルに接触するように、前記温度センサを該接続ポート内に挿入することと、
（ｂ．２）該継手内を流れる流体の温度を間接的に決定するために、該レセプタクルの温度を測定することと
をさらに含む、請求項５２に記述の方法。
【請求項５７】
前記継手は流れ制御装置をさらに含み、ステップ（ｂ）は、
（ｂ．１）該継手を通る前記医療用流体の流れを選択的に制御することをさらに含む、請求項５２に記述の方法。
【請求項５８】
ステップ（ｃ）は、
（ｃ．１）前記測定された流体温度に基づいて前記流れ制御装置を制御することをさらに含む、請求項５７に記述の方法。
【請求項５９】
前記継手はループ構成を含み、ステップ（ｂ）は、
（ｂ．１）前記医療用流体を前記温度センサの周囲の流路に誘導することをさらに含む、請求項５２に記述の方法。
【請求項６０】
（ｄ）前記制御装置を介して、前記測定された流体温度を記録してレポートを生成することをさらに含む、請求項５２に記述の方法。
【請求項６１】
（ｅ）前記測定された流体温度および前記レポートのうちの少なくとも１つをプリンタを介して印刷することをさらに含む、請求項６０に記述の方法。
【請求項６２】
（ｅ）通信モジュールを介して前記報告を別の装置に伝達することをさらに含む、請求項６０に記述の方法。
【請求項６３】
流体ライン内の殺菌した医療用流体の温度を測定する温度感知装置であって、
該流体ラインに固定可能である継手であって、
第１の開口端および第２の開口端であって、各端は、該流体ラインの選択された部分に固定可能である、第１の開口端および第２の開口端と、
該流体ライン内を流れる該殺菌した医療用流体が該継手を通って流れることを可能にするために該継手内に配置される、通路と、
該通路と流体連通している接続ポートと、
該接続ポート内に固定される熱伝導性レセプタクルであって、該レセプタクルは、該レセプタクルの遠位端が該通路内を流れる該医療用流体に接触することを可能にするように、該通路内において、最大で該通路の横断寸法の半分まで部分的に延在し、該レセプタクルは、該医療用流体の温度を測定するための温度センサを受容する、レセプタクルと
を含む継手を含む、温度感知装置。
【請求項６４】
前記レセプタクルは、前記通路内において、最大で該通路の横断寸法の４分の１まで部分的に延在する、請求項６３に記述の温度感知装置。
【請求項６５】
継手と、該継手を通って流れる流体の温度を測定するための温度センサとを含む温度感知装置を介して、医療用流体ライン内を流れる殺菌した医療用流体の温度を測定する方法であって、該継手は、第１および第２の開口端と、該継手内に配置され、かつ、該第１および第２の開口端の間に延在して該流体ライン内を流れる流体が該継手を通って流れることを可能にする通路と、該通路と流体連通している接続ポートと、該接続ポート内に配置され、かつ、該通路内を流れる流体と直接接触するレセプタクルとを含み、該方法は、
（ａ）該継手の該第１および第２の端を、該流体ラインの選択された部分に固定することと、
（ｂ）該レセプタクルに接触するように、該接続ポート内に該温度センサを挿入することであって、該レセプタクルは、該レセプタクルの遠位端が該通路内を流れる該医療用流体に接触することを可能にするように、該通路内において、最大で該通路の横断寸法の半分まで部分的に延在する、ことと、
（ｃ）該レセプタクルの温度を測定し、かつ、該測定された流体温度を示す温度信号を生成することにより、該継手を通って流れる流体の温度を測定することと
を含む、方法。
【請求項６６】
前記レセプタクルは、前記通路内において、最大で該通路の横断寸法の４分の１まで部分的に延在する、請求項６５に記述の方法。
【請求項６７】
殺菌した医療用流体の温度を測定する温度感知装置であって、
殺菌した医療用流体を収容するための医療用流体容器と、
該医療用流体容器に連結された流体ラインであって、該流体ラインから該殺菌した医療用流体を受容して、該医療用流体を患者に向かって導く、流体ラインと、
該医療用流体容器および該流体ラインのうちの少なくとも１つに固定可能であり、該殺菌した医療用流体を熱処理するように動作可能である、少なくとも１つの熱処理装置と、
該流体ラインに沿った選択された場所に固定可能である感知アセンブリであって、該感知アセンブリは、
該流体ライン内を流れる該殺菌した医療用流体が該感知アセンブリを通って流れることを可能にするように該感知アセンブリ内に配置される通路と、
該通路を通って流れる該殺菌した医療用流体の温度を測定し、該測定された流体温度を示す電気的温度信号を生成する、温度センサと
を含む、感知アセンブリと、
該少なくとも１つの熱処理装置を制御して、該測定された流体温度に基づいて該医療用流体を所望の温度に熱処理するように、該温度センサおよび該少なくとも１つの熱処理装置に連結される、制御装置と
を含む、温度感知装置。
【請求項６８】
前記所望の温度は、ユーザにより入力される、請求項６７に記述の温度感知装置。
【請求項６９】
前記熱処理装置は、加熱および冷却のうちの少なくとも１つの形態で、前記医療用流体を熱処理する、請求項６７に記述の温度感知装置。
【請求項７０】
前記制御装置は、前記測定された流体温度を表示する、請求項６７に記述の温度感知装置。
【請求項７１】
前記感知アセンブリは、前記通路を通る前記医療用流体のフローを選択的に制御するための流れ制御装置をさらに含む、請求項６７に記述の温度感知装置。
【請求項７２】
前記制御装置は、前記流れ制御装置に連結され、かつ、該流れ制御装置を操作することにより、前記測定された流体温度に基づいて前記医療用流体の流れを制御する、請求項７１に記述の温度感知装置。
【請求項７３】
前記感知アセンブリは、前記医療用流体を前記温度センサの周囲の流路に誘導するためのループ構成を有する継手を含む、請求項６７に記述の温度感知装置。
【請求項７４】
前記医療用流体を患者の中に誘導するために、前記感知アセンブリに連結される針ハブアセンブリをさらに含む、請求項６７に記述の温度感知装置。
【請求項７５】
温度感知装置を介して医療用流体ライン内を流れる殺菌した医療用流体の温度を測定する方法であって、該温度感知装置は、感知アセンブリと、該感知アセンブリを通って流れる流体の温度を測定する温度センサとを含み、該感知アセンブリは、該感知アセンブリ内に配置された通路を含み、該通路は、該流体ライン内を流れる流体が該通路を流れることを可能にし、該方法は、
（ａ）該流体ラインの選択された部分において該感知センブリを受容することと、
（ｂ）該温度センサを介して、該通路を通って流れる流体の温度を測定し、該測定された流体温度を示す温度信号を生成することと、
（ｃ）該測定された流体温度に基づいて該医療用流体を所望の温度に熱処理するために、該流体ラインおよび流体源のうちの少なくとも１つに近接して配置される少なくとも１つの熱処理装置を、制御装置を介して制御することと
を含む、方法。
【請求項７６】
ステップ（ｃ）は、
（ｃ．１）ユーザによる前記制御装置への前記所望の温度の入力を容易にすることをさらに含む、請求項７５に記述の方法。
【請求項７７】
各熱処理装置は、加熱および冷却のうちの少なくとも１つの形態で、前記医療用流体を熱処理する、請求項７５に記述の方法。
【請求項７８】
ステップ（ｂ）は、
（ｂ．１）前記測定された流体温度を表示することをさらに含む、請求項７５に記述の方法。
【請求項７９】
前記感知アセンブリは、流れ制御装置をさらに含み、ステップ（ｂ）は、
（ｂ．１）該感知アセンブリを通る前記医療用流体の流れを選択的に制御することをさらに含む、請求項７５に記述の方法。
【請求項８０】
ステップ（ｃ）は、
（ｃ．１）前記測定された流体温度に基づいて前記流れ制御装置を制御することをさらに含む、請求項７９に記述の方法。
【請求項８１】
前記感知アセンブリは、ループ構成を有する継手を含み、ステップ（ｂ）は、
（ｂ．１）前記医療用流体を前記温度センサの周囲の流路に誘導することをさらに含む、請求項７５に記述の方法。
【手続補正２】
【補正対象書類名】明細書
【補正対象項目名】００２５
【補正方法】変更
【補正の内容】
【００２５】
本発明の上記およびまたさらなる目的、特徴、利点が、その具体的な実施形態の以下の詳細な説明を考慮し、特に、様々な図中の類似の参照番号が、類似の構成要素を指定するように用いられている、付随の図面と合わせて考慮に入れると、明白となるであろう。
例えば、本発明は以下の項目を提供する。
（項目１）
流体ライン内の殺菌した医療用流体の温度を測定する温度感知装置であって、
該流体ラインに固定可能である継手であって、
第１の開口端および第２の開口端であって、各端は該流体ラインの選択された部分に固定可能である、第１の開口端および第２の開口端と、
該流体ライン内を流れる該殺菌した医療用流体が該継手を通って流れることを可能にするための、該継手内に配置される通路と、
該医療用流体の温度を測定する温度センサを受容するための、該通路と流体連通している接続ポートと
を含む、継手を備え、
該継手は、流路中の該医療用流体を該温度センサの周囲に誘導するためのループ構成、該医療用流体を患者の中に誘導するための針ハブアセンブリ、および該継手を通る該医療用流体の流れを選択的に制御するための流れ制御装置のうちの少なくとも１つをさらに含む、温度感知装置。
（項目２）
熱伝導性レセプタクルであって、上記接続ポート内に固定され、かつ、部分的に上記通路内に延在して、該レセプタクルの遠位端が該通路内を流れる上記医療用流体と接触することを可能にする、熱伝導性レセプタクルをさらに含み、
上記温度センサは、上記継手を通って流れる該医療用流体の温度を測定するために、該レセプタクル内に解除可能に受容される、項目１に記述の温度感知装置。
（項目３）
上記接続ポートは、上記継手の外側表面から延在し、上記温度感知装置は、
上記温度センサを該接続ポートに固定する固定部材をさらに含み、該固定部材は、その中に画定される凹部を含み、該温度センサは、該凹部内に配置され、該固定部材が該接続ポートに固定されると、上記レセプタクルに接触するように延在する、項目２に記述の温度感知装置。
（項目４）
上記固定部材および上記接続ポートは、該固定部材を該接続ポートに解除可能に固定し、かつ、上記温度センサと上記レセプタクルとの間の接触を容易にするための係止機構を含む、項目３に記述の温度感知装置。
（項目５）
上記係止機構は、
上記接続ポートの外側表面に解除可能に取付けられる、少なくとも１つの突出部と、
対応する突出部と係合するように上記固定部材上に配置される、少なくとも１つの係合部材と
を含み、
該少なくとも１つの係合部材は、該固定部材の上記係合ポートからの解放に応じて、該対応する突出部を該接続ポートから除去し、それにより、該接続ポートの該固定部材との再係合および上記継手の再使用を防止するように構成される、項目４に記述の温度感知装置。
（項目６）
上記継手は、上記流れ制御装置を含む、項目１に記述の温度感知装置。
（項目７）
上記流れ制御装置は、該流れ制御装置を、上記継手を通る上記医療用流体の流動を可能にする状態に維持するための係止機構を含む、項目６に記述の温度感知装置。
（項目８）
上記流れ制御装置は、その中に摺動可能に配置される筐体およびピストンを含み、該ピストンは、開口部を含み、かつ、該開口部を上記通路と整列させて、上記継手内の上記医療用流体の流れを制御するように選択的に直線的に操作される、項目７に記述の温度感知装置。
（項目９）
上記係止機構は、上記ピストンの遠位部分に配置される突出部と、該ピストンが上記筐体内で遠位に押し進められることに応じて該突出部と係合するための、該筐体の遠位部分内に画定される凹部とを含む、項目８に記述の温度感知装置。
（項目１０）
上記流れ制御装置は、その中に回転可能に配置される筐体および弁部材を含み、該弁部材は、開口部を含み、かつ、該開口部を上記通路と整列するように選択的に回転させられることにより、上記継手内の上記医療用流体の流れを制御する、項目７に記述の温度感知装置。
（項目１１）
上記流れ制御装置は、上記弁部材を回転させるための回転可能な把持部材を含み、上記係止機構は、
該把持部材の遠位表面内に画定される複数の溝であって、各溝は、第１および第２の端と、これらの端の間に配置される段部とを含む、溝と、
上記筐体の近位部分から延在する複数の突出部と
を含み、
該突出部は、対応する溝の中に受容され、該把持部材の回転に応じてこれらの溝を横断することにより、該突出部が対応する溝の段部と溝の端との間の該溝の中に維持されることを可能にして、該把持部材のさらなる回転を防止する、項目１０に記述の温度感知装置。
（項目１２）
上記流れ制御装置は、上記測定された流体温度に基づいて制御装置によって制御される、項目６に記述の温度感知装置。
（項目１３）
上記継手は、上記医療用流体を上記温度センサの周囲に誘導するための少なくとも１つの巻きを有する、上記ループ構成を含む、項目１に記述の温度感知装置。
（項目１４）
上記継手は、上記針ハブアセンブリを含む、項目１に記述の温度感知装置。
（項目１５）
上記継手および針ハブアセンブリは、一体型ユニットとして形成される、項目１４に記述の温度感知装置。
（項目１６）
上記継手は、弁の形態である、項目１４に記述の温度感知装置。
（項目１７）
上記測定された流体温度を表示するための表示部をさらに含む、項目１に記述の温度感知装置。
（項目１８）
継手と、該継手を通って流れる流体の温度を測定するための温度センサとを含む温度感知装置を介して、医療用流体ライン内を流れる殺菌した医療用流体の温度を測定する方法であって、該継手は、第１および第２の開口端と、該継手内に配置され、該第１および第２の開口端の間に延在して、該流体ライン内を流れる流体が該継手を通って流れることを可能にする通路と、該通路と流体連通している接続ポートとを含み、該継手は、ループ構成、針ハブアセンブリ、および流れ制御装置のうちの少なくとも１つをさらに含み、該方法は、
（ａ）該継手の該第１および第２の端を該流体ラインの選択された部分に固定することと、
（ｂ）該接続ポート内に配置される該温度センサを介して、該継手を通って流れる流体の温度を測定し、該測定された流体温度を示す温度信号を生成することと、
（ｃ）該ループ構成を含む該継手に従って、該流体温度を測定するために、該ループ構成を通り、かつ該温度センサの周りの流路の中を該医療用流体を誘導することと、
（ｄ）該流れ制御装置を含む該継手に従って、該流れ制御装置を介して、該継手を通る該医療用流体の流れを選択的に制御することと、
（ｅ）該針ハブアセンブリを含む該継手に従って、該針ハブアセンブリを介して、該医療用流体を該通路から患者の中に誘導することと
を含む、方法。
（項目１９）
上記継手は、上記接続ポート内に配置され、かつ、上記通路内を流れる流体と直接接触するレセプタクルをさらに含み、ステップ（ｂ）は、
（ｂ．１）該レセプタクルに接触するように、上記温度センサを該接続ポート内に挿入することと、
（ｂ．２）該継手内を流れる流体の温度を間接的に決定するために、該レセプタクルの温度を測定することと
をさらに含む、項目１８に記述の方法。
（項目２０）
上記接続ポートは、上記継手の外側表面から延在し、上記温度感知装置は、上記温度センサを該接続ポートに固定するための固定部材をさらに含み、該固定部材はその中に画定される凹部を含み、該温度センサは該凹部内に配置され、ステップ（ｂ．１）は、
（ｂ．１．１）該固定部材を介して、該温度センサを該接続ポートに固定することであって、該温度センサは上記レセプタクルと接触して配置される、ことをさらに含む、項目１９に記述の方法。
（項目２１）
上記固定部材および上記接続ポートは、該固定部材を該接続ポートに解除可能に固定するための係止機構を含み、ステップ（ｂ．１．１）は、
（ｂ．１．１．１）該接続ポートを上記凹部内に配置して、上記温度センサが上記レセプタクルと接触することを可能にすることにより、該固定部材を該接続ポートに係止することをさらに含む、項目２０に記述の方法。
（項目２２）
上記継手は、上記流れ制御装置を含む、項目１８に記述の方法。
（項目２３）
上記流れ制御装置は、その中に摺動可能に配置される筐体およびピストンを含み、該ピストンは開口部を含み、ステップ（ｄ）は、
（ｄ．１）該開口部を上記通路と整列させるように選択的に該ピストンを直線的に操作することにより、上記継手内の上記医療用流体の流れを制御することをさらに含む、項目２２に記述の方法。
（項目２４）
上記流れ制御装置は係止機構を含み、ステップ（ｄ）は、
（ｄ．２）該流れ制御装置を、上記継手を通る上記医療用流体の流動を可能にする状態に維持することをさらに含む、項目２３に記述の方法。
（項目２５）
上記係止機構は、上記ピストンの遠位部分に配置される突出部と、上記筐体の遠位部分内に画定される凹部とを含み、ステップ（ｄ．２）は、
（ｄ．２．１）該ピストンが該筐体内で遠位に押し進められることに応じて、該突出部を該凹部と係合することをさらに含む、項目２４に記述の方法。
（項目２６）
上記流れ制御装置は、その中に回転可能に配置される筐体および弁部材を含み、該弁部材は開口部を含み、ステップ（ｄ）は、
（ｄ．１）上記継手内の上記医療用流体の流れを制御するために、該開口部を上記通路と整列させるように該弁部材を選択的に回転させることをさらに含む、項目２２に記述の方法。
（項目２７）
上記流れ制御装置は係止機構を含み、ステップ（ｄ）は、
（ｄ．２）該流れ制御装置を、上記継手を通る上記医療用流体の流動を可能にする状態に維持することをさらに含む、項目２６に記述の方法。
（項目２８）
上記流れ制御装置は、上記弁部材を回転させるための回転可能な把持部材を含み、上記係止機構は、該把持部材の遠位表面内に画定される複数の溝を含み、各溝は、第１および第２の端と、これらの端の間に配置される段部と、上記筐体の近位部分から延在する複数の突出部とを含み、ステップ（ｄ．２）は、
（ｄ．２．１）対応する溝の中に該突出部を受容し、該把持部材の回転に応じてこれらの溝を該突出部と交差させ、該溝の中の対応する溝の段部と溝の端との間に該突出部を維持して該把持部材のさらなる回転を防止することをさらに含む、項目２７に記述の方法。
（項目２９）
ステップ（ｄ）は、
（ｄ．１）上記測定された流体温度に基づいて上記流れ制御装置を制御することをさらに含む、項目２２に記述の方法。
（項目３０）
上記継手は、上記ループ構成を含む、項目１８に記述の方法。
（項目３１）
上記継手は、上記針ハブアセンブリを含む、項目１８に記述の方法。
（項目３２）
上記継手および針ハブアセンブリは、一体型ユニットとして形成される、項目３１に記述の方法。
（項目３３）
上記継手は、弁の形態である、項目３１に記述の方法。
（項目３４）
ステップ（ｂ）は、
（ｂ．１）上記測定された流体温度を表示することをさらに含む、項目１８に記述の方法。
（項目３５）
殺菌した医療用流体の温度を測定する温度感知装置であって、
殺菌した医療用流体を収容するための医療用流体容器と、
そこから該殺菌した医療用流体を受容して該医療用流体を患者に向かって導くために、該医療用流体容器に連結される、流体ラインと、
該医療用流体容器および該流体ラインのうちの少なくとも１つに固定可能であり、該殺菌した医療用流体を熱処理するように動作可能である、少なくとも１つの熱処理装置と、
該流体ラインに沿って選択された場所に配置される継手であって、
第１の開口端および第２の開口端であって、各端が、該流体ラインの選択された部分に固定可能である、第１の開口端および第２の開口端と、
該流体ライン内を流れる該殺菌した医療用流体が該継手を通って流れることを可能にするように、該継手内に配置される、通路と、
該通路と流体連通している接続ポートと、
を含む、継手と、
該継手を通って流れる該殺菌した医療用流体の温度を測定し、該測定された流体温度を示す電気的温度信号を生成するように、接続ポート内に設置するための温度センサと、
該少なくとも１つの熱処理装置を制御して、該測定された流体温度に基づいて該医療用流体を所望の温度に熱処理するように、該温度センサおよび該少なくとも１つの熱処理装置に連結される、制御装置と
を含む、温度感知装置。
（項目３６）
上記所望の温度は、ユーザにより入力される、項目３５に記述の温度感知装置。
（項目３７）
上記熱処理装置は、加熱および冷却のうちの少なくとも１つの形態で、上記医療用流体を熱処理する、項目３５に記述の温度感知装置。
（項目３８）
上記制御装置は、上記測定された流体温度を表示する、項目３５に記述の温度感知装置。
（項目３９）
熱伝導性レセプタクルであって、上記接続ポート内に固定され、部分的に上記通路内に延在することにより、該レセプタクルの遠位端が該通路内を流れる上記医療用流体と接触することを可能にする、熱伝導性レセプタクルをさらに含み、
上記温度センサは、上記継手を通って流れる該医療用流体の温度を測定するように、該レセプタクル内に解除可能に受容される、項目３５に記述の温度感知装置。
（項目４０）
上記接続ポ.ートは、上記継手の外側表面から延在し、上記温度感知装置は、
上記温度センサを該接続ポートに固定するための固定部材をさらに含み、該固定部材はその中に画定される凹部を含み、該温度センサは、該凹部内に配置され、かつ、該固定部材が該接続ポートに固定されると上記レセプタクルに接触するように延在する、項目３９に記述の温度感知装置。
（項目４１）
上記固定部材および上記接続ポートは、該固定部材を該接続ポートに解除可能に固定し、上記温度センサと上記レセプタクルとの間の接触を容易にするための係止機構を含む、項目４０に記述の温度感知装置。
（項目４２）
上記継手は、該継手を通る上記医療用流体のフローを選択的に制御するための流れ制御装置をさらに含む、項目３５に記述の温度感知装置。
（項目４３）
上記流れ制御装置は、該流れ制御装置を、上記継手を通る上記医療用流体の流動を可能にする状態に維持するための係止機構を含む、項目４２に記述の温度感知装置。
（項目４４）
上記流れ制御装置は、その中に摺動可能に配置される筐体およびピストンを含み、該ピストンは、開口部を含み、かつ、該開口部を上記通路と整列させるように選択的に直線的に操作することにより、上記継手内の上記医療用流体の流れを制御する、項目４２に記述の温度感知装置。
（項目４５）
上記流れ制御装置は、その中に回転可能に配置される筐体および弁部材を含み、該弁部材は、開口部を含み、かつ、該開口部を上記通路と整列させるように選択的に回転させられることにより、上記継手内の上記医療用流体の流れを制御する、項目４２に記述の温度感知装置。
（項目４６）
上記制御装置は、上記流れ制御装置に連結され、かつ、該流れ制御装置を操作することにより、上記測定された流体温度に基づいて上記医療用流体の流れを制御する、項目４２に記述の温度感知装置。
（項目４７）
上記継手は、上記医療用流体を上記温度センサの周囲の流路に誘導するためのループ構成を含む、項目３５に記述の温度感知装置。
（項目４８）
上記医療用流体を患者の中に誘導するために、上記継手に連結される針ハブアセンブリをさらに含む、項目３５に記述の温度感知装置。
（項目４９）
上記制御装置は、上記測定された流体温度を記録してレポートを生成する、項目３５に記述の温度感知装置。
（項目５０）
上記測定された流体温度および上記レポートのうちの少なくとも１つを印刷するために、プリンタをさらに含む、項目４９に記述の温度感知装置。
（項目５１）
上記制御装置は、上記レポートを別の装置に伝達するために、通信モジュールを含む、項目４９に記述の温度感知装置。
（項目５２）
継手と該継手を通って流れる流体の温度を測定するための温度センサとを含む温度感知装置を介して、医療用流体ライン内を流れる殺菌した医療用流体の温度を測定する方法であって、該継手は、第１および第２の開口端と、該継手内に配置され、かつ、該第１および第２の開口端の間に延在して該流体ライン内を流れる流体が該継手を通って流れることを可能にする通路と、該通路と流体連通している接続ポートとを含み、該方法は、
（ａ）該継手の該第１および第２の端を該流体ラインの選択された部分に固定することと、
（ｂ）該接続ポート内に配置される該温度センサを介して、該継手を通って流れる流体の温度を測定し、該測定された流体温度を示す温度信号を生成することと、
（ｃ）該測定された流体温度に基づいて該医療用流体を所望の温度に熱処理するために、該流体ラインおよび流体源のうちの少なくとも１つに近接して配置される少なくとも１つの熱処理装置を、制御装置を介して制御することと
を含む、方法。
（項目５３）
ステップ（ｃ）は、
（ｃ．１）ユーザによる上記制御装置への上記所望の温度の入力を容易にすることをさらに含む、項目５２に記述の方法。
（項目５４）
各熱処理装置は、加熱および冷却のうちの少なくとも１つの形態で、上記医療用流体を熱処理する、項目５２に記述の方法。
（項目５５）
ステップ（ｂ）は、
（ｂ．１）上記測定された流体温度を表示することをさらに含む、項目５２に記述の方法。
（項目５６）
上記継手は、上記接続ポート内に配置され、上記通路内を流れる流体と直接接触するレセプタクルをさらに含み、ステップ（ｂ）は、
（ｂ．１）該レセプタクルに接触するように、上記温度センサを該接続ポート内に挿入することと、
（ｂ．２）該継手内を流れる流体の温度を間接的に決定するために、該レセプタクルの温度を測定することと
をさらに含む、項目５２に記述の方法。
（項目５７）
上記継手は流れ制御装置をさらに含み、ステップ（ｂ）は、
（ｂ．１）該継手を通る上記医療用流体の流れを選択的に制御することをさらに含む、項目５２に記述の方法。
（項目５８）
ステップ（ｃ）は、
（ｃ．１）上記測定された流体温度に基づいて上記流れ制御装置を制御することをさらに含む、項目５７に記述の方法。
（項目５９）
上記継手はループ構成を含み、ステップ（ｂ）は、
（ｂ．１）上記医療用流体を上記温度センサの周囲の流路に誘導することをさらに含む、項目５２に記述の方法。
（項目６０）
上記継手は、該継手に連結される針ハブアセンブリを含み、ステップ（ｃ）は、
（ｃ．１）上記医療用流体を患者の中に誘導することをさらに含む、項目５２に記述の方法。
（項目６１）
（ｄ）上記制御装置を介して、上記測定された流体温度を記録してレポートを生成することをさらに含む、項目５２に記述の方法。
（項目６２）
（ｅ）上記測定された流体温度および上記レポートのうちの少なくとも１つをプリンタを介して印刷することをさらに含む、項目６１に記述の方法。
（項目６３）
（ｅ）通信モジュールを介して上記報告を別の装置に伝達することをさらに含む、項目６１に記述の方法。
（項目６４）
流体ライン内の殺菌した医療用流体の温度を測定する温度感知装置であって、
該流体ラインに固定可能である継手であって、
第１の開口端および第２の開口端であって、各端は、該流体ラインの選択された部分に固定可能である、第１の開口端および第２の開口端と、
該流体ライン内を流れる該殺菌した医療用流体が該継手を通って流れることを可能にするために該継手内に配置される、通路と、
該通路と流体連通している接続ポートと、
該接続ポート内に固定される熱伝導性レセプタクルであって、該レセプタクルは、該レセプタクルの遠位端が該通路内を流れる該医療用流体に接触することを可能にするように、該通路内において、最大で該通路の横断寸法の半分まで部分的に延在し、該レセプタクルは、該医療用流体の温度を測定するための温度センサを受容する、レセプタクルと
を含む継手を含む、温度感知装置。
（項目６５）
上記レセプタクルは、上記通路内において、最大で該通路の横断寸法の４分の１まで部分的に延在する、項目６４に記述の温度感知装置。
（項目６６）
継手と、該継手を通って流れる流体の温度を測定するための温度センサとを含む温度感知装置を介して、医療用流体ライン内を流れる殺菌した医療用流体の温度を測定する方法であって、該継手は、第１および第２の開口端と、該継手内に配置され、かつ、該第１および第２の開口端の間に延在して該流体ライン内を流れる流体が該継手を通って流れることを可能にする通路と、該通路と流体連通している接続ポートと、該接続ポート内に配置され、かつ、該通路内を流れる流体と直接接触するレセプタクルとを含み、該方法は、
（ａ）該継手の該第１および第２の端を、該流体ラインの選択された部分に固定することと、
（ｂ）該レセプタクルに接触するように、該接続ポート内に該温度センサを挿入することであって、該レセプタクルは、該レセプタクルの遠位端が該通路内を流れる該医療用流体に接触することを可能にするように、該通路内において、最大で該通路の横断寸法の半分まで部分的に延在する、ことと、
（ｃ）該レセプタクルの温度を測定し、かつ、該測定された流体温度を示す温度信号を生成することにより、該継手を通って流れる流体の温度を測定することと
を含む、方法。
（項目６７）
上記レセプタクルは、上記通路内において、最大で該通路の横断寸法の４分の１まで部分的に延在する、項目６６に記述の方法。